(57)【要約】【課題】２つのレーザダイオードからそれぞれ出射されるレーザ光を、ダイクロイックビームスプリッタや立上げミラーで一部反射させたり一部透過させたりすることなく、単一のフロントモニタで検出することができるようにした二波長対応光ピックアップを提供する。【解決手段】第１のダイクロイックビームスプリッタＤＢＳ１へ入射する第１のレーザ光のうちの有効範囲外の光の一部と、第２のダイクロイックビームスプリッタＤＢＳ２を透過した第２のレーザ光のうちの有効範囲外の光の一部とを、ともに所定方向へ導くライトガイドＬＧを設ける。ライトガイドは、入射する拡散光を収束光に変えてフロントモニタＦＭに入射させる。【選択図】      図３
2004227683.tif 000002
【特許請求の範囲】
【請求項１】
互いに異なる波長のレーザ光を互いに異なる方向へ出射する第１及び第２のレーザダイオードと、これら第１及び第２のレーザダイオードから出射されるレーザ光を所定の位置に置かれた光ディスクにともに導く光学系とを備えた二波長対応型の光ピックアップにおいて、
前記第１及び第２のレーザダイオードからそれぞれ出射されるレーザ光の有効範囲外の光の一部をともに所定方向へ向かって出射させるライトガイドと、
該ライトガイドから前記所定方向へ向かって出射される光を受光するフロントモニタとを設け、
該フロントモニタの出力に基づいて前記第１及び第２のレーザダイオードの出力制御を行えるようにしたことを特徴とする光ピックアップ。
【請求項２】
前記光学系が、前記第１及び第２のレーザダイオードから出射されるレーザ光の光路を互いに一致させるよう互いに隣接配置された、前記第１及び第２のレーザダイオードにそれぞれ対応する第１及び第２のダイクロイックビームスプリッタを有し、
前記ライトガイドが、前記第１のレーザダイオードと前記第１及び第２のダイクロイックビームスプリッタとの間に配置されていることを特徴とする請求項１に記載の光ピックアップ。
【請求項３】
前記ライトガイドが、前記第１のレーザダイオードから出射されて前記第１のダイクロイックビームスプリッタへと向かうレーザ光の有効範囲外の光の一部を前記所定方向へ導くとともに、前記第２のレーザダイオードから出射されて前記第２のダイクロイックビームスプリッタに入射し、該第２のダイクロイックビームスプリッタを透過した光の一部を前記所定方向へ導くように配置されていることを特徴とする請求項２に記載の光ピックアップ。
【請求項４】
前記第２のダイクロイックビームスプリッタが、前記第２のレーザダイオードから出射されたレーザ光のうち有効範囲内の光を反射し、かつ有効範囲外の光を透過させるように、前記第２のレーザダイオードと前記第２のダイクロイックビームスプリッタとの間に、前記第２のレーザダイオードから出射されたレーザ光の有効範囲内の光又は有効範囲外の光の変更状態を変える波長板を設けたこと特徴とする請求項３に記載の光ピックアップ。
【請求項５】
前記ライトガイドがガラス又は樹脂からなるブロック体であることを特徴とする請求項１乃至４のいずれかに記載の光ピックアップ。
【請求項６】
前記ライトガイドから前記所定方向へ出射されるレーザ光が収束光となるように、当該ライトガイドの表面の一部が球面状に形成されていることを特徴とする請求項５に記載の光ピックアップ。
【発明の詳細な説明】
【０００１】
【発明の属する技術分野】
本発明は、光ピックアップに関し、特に、２種類の情報記録媒体に対して異なる波長の光を用いて情報の記録・再生を行う光ピックアップに関する。
【０００２】
【従来の技術】
一般に、光ディスク記録媒体に対して情報の記録・再生を行う光ピックアップにおいては、レーザダイオードから出射される記録・再生光の強さを適切に制御するために、フォトダイオード（フロントモニタ）及びＡＰＣ（Ａｕｔｏ  Ｐｏｗｅｒ  Ｃｏｎｔｒｏｌ）回路を用いたフィードバック制御が行われている。
【０００３】
互いに異なる波長の記録・再生光を発する２個のレーザダイオードを備え、２種類の光ディスク記録媒体（例えば、ＤＶＤとＣＤ）に対して情報を記録・再生することができる光ピックアップ（以下、二波長型光ピックアップ。）の場合は、各レーザダイオードについて上記のようなフィードバック制御を行う必要がある。
【０００４】
従来の二波長型光ピックアップは、２個のレーザダイオードからそれぞれ出射される記録・再生光をそれぞれ検出するために、２個のフォトダイオードを備えている。そして、各レーザダイオードから出射される記録・再生光の一部をビームスプリッタ等を用いて分岐させ、対応するフォトダイオードに入射させるようにしている。
【０００５】
また、装置全体の構成を簡素化するため、２個のレーザダイオードからそれぞれ出射される記録・再生光の一部を１個のフォトダイオードで検出するように構成した二波長型光ピックアップも提案されている。この提案に係る二波長型光ピックアップは、２つのレーザダイオードからそれぞれ出射される記録・再生光を光路合流ミラーを用いて単一の立ち上げミラーに入射させるよう構成されている。そして、この光路合流ミラーに入射する記録再生光の一部を、立ち上げミラーの存在する方向とは異なる方向へ透過又は反射させ、単一のフォトダイオードに入射させるようにしている（例えば、特許文献１又は２参照。）。
【０００６】
図１に、単一のフォトダイオードをフロントモニタとして備えた従来の二波長型光ピックアップの一例を示す。この光ピックアップでは、第１のレーザダイオードＬＤ１から出射したレーザ光が、第１のグレーティングＧＲＴ１を介して第１のダイクロイックビームスプリッタＤＢＳ１に入射する。また、第２のレーザダイオードＬＤ２から出射したレーザ光は、光学レンズＬ及び第２のグレーティングＧＲＴ２を介して第２のダイクロイックビームスプリッタＤＢＳ２に入射する。ダイクロイックビームスプリッタＤＢＳ１，ＤＢＳ２にそれぞれ入射したレーザ光は、図の右方向へ向かって出射され、１／４波長板ＱＷＰ、立上げミラーＭＩＲ、コリメータレンズＣＬ、アパーチャＡＰ及び対物レンズＯＬを介して光ディスク記録媒体ＤＩＳＣ２３上に照射される。そして、その光ディスクＤＩＳＣからの反射光は、対物レンズＯＬ、アパーチャＡＰ、コリメータレンズＣＬ、立上げミラーＭＩＲ、１／４波長板ＱＷＰ、第１及び第２のダイクロイックビームスプリッタＤＢＳ，ＤＢＳ２、及び拡大レンズＳＬを介して、受光素子ＰＤに入射する。
【０００７】
この光ピックアップでは、立上げミラーＭＩＲが、ダイクロイックビームスプリッタＤＢＳ１側から入射するレーザ光の一部を透過するよう構成されている。そして、立上げミラーＭＩＲの裏面側には、透過したレーザ光を受光するフロントモニタＦＭが配置されている。このような構成によれば、単一のフロントモニタＦＭを用いて、２つのレーザダイオードＬＤ１，ＬＤ２からそれぞれ出射されたレーザ光の一部を共に検出することができ、両方のレーザダイオードＬＤ１，ＬＤ２の出力制御を行うことができる。
【０００８】
なお、フロントモニタＦＭは、図２に示すように、第１のダイクロイックビームスプリッタＤＢＳの側方（第１のレーザダイオードＬＤ１と反対の位置）に配置するようにしてもよい。この場合、立上げミラーＭＩＲは、全反射ミラーとすることができる。
【０００９】
ところで、レーザダイオードからの記録・再生光の一部をビームスプリッタや光路合流ミラー、あるいは立上げミラー等を用いてフロントモニタに入射させるようにすると、記録・再生光の利用効率が低下するという問題点を生じる。
【００１０】
レーザダイオードを１個しか持たない単一波長型光ピックアップの場合、レーザダイオードから出射される光のうち、記録・再生に関与しない光（有効範囲外の光）を凸レンズやホログラムパターン等を用いて光路変更して、フォトダイオードに入射させることにより、この問題を解決するすることができる（例えば、特許文献３参照。）。
【００１１】
また、ビームスプリッタの反射膜には、その反射率が製造バラツキを有し、かつ湿度変化に伴って変動するという問題点もある。
【００１２】
単一波長型光ピックアップの場合、前述のように、有効範囲外の光を利用することによりこの問題を解決できる。また、ビームスプリッタの反射膜の反射率に関係なく記録・再生光の強さを検出できるように、レーザダイオードからの記録・再生光を、プリズムの無反射コーディングが施されていない面に所定の入射角で入射させてその一部を反射させ、フォトダイオードに入射させるようにすることで、この問題を解決することもできる（例えば、特許文献４参照。）。
【００１３】
従来の二波長光ピックアップにおいても、２個のレーザダイオードにそれぞれ対応するフォトダイオードを備えている場合には、上記技術を適用することによって、ビームスプリッタ等を用いて記録・再生光の一部をフロントモニタに入射させたことによって生じる問題を解決することが可能である。
【００１４】
【特許文献１】
特開２００２−１０００５９号公報
【００１５】
【特許文献２】
特開２００２−１０００６８号公報
【００１６】
【特許文献３】
特開平１１−２７３１１９号公報
【００１７】
【特許文献４】
特開２０００−２１００１号公報
【００１８】
【発明が解決しようとする課題】
上述したように、レーザダイオードから出射される記録・再生光の一部を、ビームスプリッタ等を用いてフロントモニタに導くようにすると、記録・再生光の利用効率が低下するという問題点がある。また、ダイクロイックビームスプリッタや立上げミラーの反射膜（透過率及び／又は反射率）には波長依存性があるため、周囲の環境変化等によりレーザ光の波長が変化すると、フロントモニタに入射するレーザ光の光量が変化（検出精度が変化）するという問題点もある。
【００１９】
これらの問題点は、上述の特許文献１に記載された技術により解決可能であるが、それをそのまま二波長型光ピックアップに適用したのでは、各レーザダイオードに対応するフォトダイオードが必要となるり、小型化の要求に応えられなくなる。つまり、単一のフロントモニタを備える二波長型光ピックアップに関しては、小型化が優先され、未だ、上記のような問題点を解決するための提案は成されていない。
【００２０】
そこで、本発明は、２つのレーザダイオードから出射されるレーザ光を、ダイクロイックビームスプリッタや立上げミラーで一部透過させたり、一部反射したりすることなく、単一のフロントモニタで検出することができるようにした二波長型光ピックアップを提供することを目的とする。
【００２１】
【課題を解決するための手段】
本発明によれば、互いに異なる波長のレーザ光を互いに異なる方向へ出射する第１及び第２のレーザダイオード（ＬＤ１，ＬＤ２）と、これら第１及び第２のレーザダイオードから出射されるレーザ光を所定の位置に置かれた光ディスク（ＤＩＳＣ）にともに導く光学系とを備えた二波長対応型の光ピックアップにおいて、前記第１及び第２のレーザダイオードからそれぞれ出射されるレーザ光の有効範囲外の光の一部をともに所定方向へ向かって出射させるライトガイド（ＬＧ）と、該ライトガイドから前記所定方向へ向かって出射される光を受光するフロントモニタ（ＦＭ）とを設け、該フロントモニタの出力に基づいて前記第１及び第２のレーザダイオードの出力制御を行えるようにしたことを特徴とする光ピックアップが得られる。
【００２２】
詳細には、前記光学系が、前記第１及び第２のレーザダイオードから出射されるレーザ光の光路を互いに一致させるよう互いに隣接配置された、前記第１及び第２のレーザダイオードにそれぞれ対応する第１及び第２のダイクロイックビームスプリッタ（ＤＢＳ１，ＤＢＳ２）を有し、前記ライトガイドが、前記第１のレーザダイオードと前記第１及び第２のダイクロイックビームスプリッタとの間に配置される。
【００２３】
つまり、前記ライトガイドは、前記第１のレーザダイオードから出射されて前記第１のダイクロイックビームスプリッタへと向かうレーザ光の有効範囲外の光の一部を前記所定方向へ導くとともに、前記第２のレーザダイオードから出射されて前記第２のダイクロイックビームスプリッタに入射し、該第２のダイクロイックビームスプリッタを透過した光の一部を前記所定方向へ導くように配置される。
【００２４】
また、上記光ピックアップにおいては、前記第２のダイクロイックビームスプリッタが、前記第２のレーザダイオードから出射されたレーザ光のうち有効範囲内の光を反射し、かつ有効範囲外の光を透過させるように、前記第２のレーザダイオードと前記第２のダイクロイックビームスプリッタとの間に、前記第２のレーザダイオードから出射されたレーザ光の有効範囲内の光又は有効範囲外の光の変更状態を変える波長板（ＧＲＴ２）が設けられる。
【００２５】
なお、上記括弧内の参照符号は、本発明の理解を容易にするために付したものであり、何ら本発明を限定するものではない。
【００２６】
【発明の実施の形態】
以下、図面を参照して本発明の実施の形態について詳細に説明する。
【００２７】
図３に本発明の一実施の形態に係る光ピックアップの光学系の構成を示す。図３の光ピックアップは、第１の波長の第１のレーザ光を出射させる第１のレーザダイオードＬＤ１と、第１の波長とは異なる第２の波長の第２のレーザ光を出射させる第２のレーザダイオードＬＤ２と、光学レンズＬと、第１及び第２のグレーティングＧＲＴ１，ＧＲＴ２と、第１及び第２のダイクロイックビームスプリッタＤＢＳ１，ＤＢＳ２と、１／４波長板ＱＷＰと、立上げミラーＭＩＲと、コリメータレンズＣＬと、アパーチャＡＰと、対物レンズＯＬと、センサレンズＳＬと、受光素子ＰＤと、ライトガイドＬＧと、フロントモニタＦＭとを有している。
【００２８】
次に、この光ピックアップの各光学要素の配置について説明する。
【００２９】
第１のレーザダイオードＬＤ１と第２のレーザダイオードＬＤ２は、それぞれが出射するレーザ光の光軸ＯＡ１，ＯＡ２が、所定の距離を置いて互いに平行となるよう、互いに逆向きに、かつ図の上下方向に離れて配置されている。
【００３０】
第１のグレーティングＧＲＴ１及び第１のダイクロイックビームスプリッタＤＢＳ１は、光軸ＯＡ１上に、この順序で配置されている。また、光学レンズＬ、第２のグレーティングＧＲＴ２及び第２のダイクロイックビームスプリッタＤＢＳ２は、光軸ＯＡ２上にこの順序で配置されている。
【００３１】
第１のダイクロイックビームスプリッタＤＢＳ１と第２のダイクロイックビームスプリッタＤＢＳ２とは、各々の反射膜が光軸ＯＡ１，ＯＡ２に対してそれぞれ４５度の角度を成し、そこで反射された第１及び第２のレーザ光の光軸が互いに一致して主光軸ＯＡ３を形成するように、隣接配置されている。
【００３２】
主光軸ＯＡ３上には、第１及び第２のダイクロイックビームスプリッタＤＳＢ１，ＤＳＢ２の右側に、１／４波長板ＱＷＰ及び立上げミラーＭＩＲが、この順序で配置されている。また、主光軸ＯＡ３上には、第１及び第２のダイクロイックビームスプリッタＤＳＢ１，ＤＳＢ２の左側に、センサレンズＳＬ及び受光素子ＰＤが、この順序で配置されている。
【００３３】
立上げミラーＭＩＲは、その反射面が、主光軸ＯＡ３に対して４５度の角度を成すように配置されている。立上げミラーＭＩＲで反射された第１及び第２のレーザ光の光軸ＯＡ４上には、コリメータレンズＣＬ、アパーチャＡＰ及び対物レンズＯＬが、この順序で配置されている。
【００３４】
ライトガイドＬＧは、第１のレーザダイオードＬＤ１と第１及び第２のダイクロイックビームスプリッタＤＢＳ１，ＤＢＳ２との間に配置されている。詳述すると、ライトガイドＬＧは、図４（ａ）及び（ｂ）に示すように、第１のグレーティングＧＲＴ１を介して入射する第１のレーザダイオードＬＤ１からの第１のレーザ光の一部が入射し、かつ第２のダイクロイックビームスプリッタＤＢＳ２を介して入射する第２のレーザダイオードＬＤ２からの第２のレーザ光の一部が入射するように配置されている。
【００３５】
フロントモニタＦＭは、ライトガイドの近傍の所定の位置に配置されている。
【００３６】
次に、各光学要素の作用（働き）について説明する。
【００３７】
第１のレーザダイオードＬＤ１は、第１の波長としてＤＶＤ用の波長約６５０ｎｍを持つ第１のレーザ光を出射する。他方、第２のレーザダイオードＬＤ２は、第２の波長としてＣＤ用の波長約７８０ｎｍを持つ第２のレーザ光を出射する。
【００３８】
第１のグレーティングＧＲＴ１は、第１のレーザダイオードＬＤ１から出射された第１のレーザ光のうち中央部の光（記録・再生及びその際のトラッキング制御に用いられるレーザ光、以下有効範囲内の光）を３本のレーザ光（中央の光束とその両側の２本の光束）に分割する。分割された３本のレーザ光のうち中央の光束は、光ディスクＤＩＳＣに対する記録・再生に用いられ、残りの２本（両側）の光束は、その際のトラッキング制御に用いられる。
【００３９】
第１のグレーティングＧＲＴ１は、また、第１のレーザ光のうちの周辺部の光（記録・再生及びその際のトラッキング制御のいずれにも用いられないレーザ光、以下有効範囲外の光）を透過させる。
【００４０】
光学レンズＬは、この第２のグレーティングＧＲＴ２に入射する第２のレーザダイオードから出射されたレーザ光の広がり角を調節する。
【００４１】
第２のグレーティングＧＲＴ２は、第１のグレーティングＧＲＴ１と同様に機能するとともに、波長板（１／２波長板）としても機能する。即ち、第２のグレーティングＧＲＴ２は、第２のレーザ光の有効範囲内の光を３つの光束に分割するとともに、有効範囲外の光を透過する。その際、有効範囲内の光及び有効範囲外の光のいずれか一方の偏光状態を変更する。
【００４２】
例えば、第２のレーザダイオードＬＤ２からの第２のレーザ光がＳ偏光であり、第２のダイクロイックビームスプリッタＤＢＳ２の反射膜がＳ偏光を全反射、Ｐ偏光を全透過するよう構成されている場合、第２のグレーティングＧＲＴ２は、入射する第２のレーザ光のうち有効範囲外の光をＰ偏光に変更する。また、例えば、第２のレーザダイオードＬＤ２からの第２のレーザ光がＳ偏光であり、第２のダイクロイックビームスプリッタＤＢＳ２の反射膜がＰ偏光を全反射、Ｓ偏光を全透過するよう構成されている場合は、第２のグレーティングＧＲＴ２は、入射する第２のレーザ光のうち有効範囲内の光をＰ偏光に変更する。
【００４３】
第２のグレーティングＧＲＴ２は、例えば、図５（ａ）又は（ｂ）のように構成される。即ち、一対の透明ガラス板又は透明樹脂板５１の間に、高分子誘電膜５２又は５３を挟み込んで構成される。一方の透明ガラス基板又は透明樹脂基板の表面には、図示しない回折格子が形成されている。図５（ａ）の高分子誘電膜５２は、有効範囲外の光の偏光状態を変更し、図５（ｂ）の高分子誘電膜５３は、有効範囲内の光の偏光状態を変更する。
【００４４】
なお、第２のグレーティングＧＲＴ２として、第１のグレーティングＧＲＴ１と同様のものを用い、それとは別に高分子誘電膜５２又は５３を備えた波長板を独立して設けるようにしてもよい。
【００４５】
第１のダイクロイックビームスプリッタＤＢＳ１は、第１のグレーティングＧＲＴ１側から光軸ＯＡ１に沿って入射する第１のレーザ光（３本の光束）を全反射し、その進路方向を主光軸ＯＡ３に沿ったものに変え、１／４波長板ＱＷＰに入射させる。また、１／４波長板ＱＷＰ側から主光軸ＯＡ３に沿って入射する戻り光（光ディスクＤＩＳＣからの反射光）を透過させ、第２のダイクロイックビームスプリッタＤＢＳ２側へ出射する。さらに、この第１のダイクロイックビームスプリッタＤＢＳ１は、第２のダイクロイックビームスプリッタＤＢＳ２側から主光軸ＯＡ３に沿って入射する第２のレーザ光を透過させ、１／４波長板ＱＷＰに入射させる。
【００４６】
第２のダイクロイックビームスプリッタＤＢＳ２は、第２のグレーティングＧＲＴ２側から光軸ＯＡ２に沿って入射する第２のレーザ光のうちＳ偏光（又はＰ偏光）を全反射し、Ｐ偏光（又はＳ偏光）を全透過させる。これにより、第２のダイクロイックビームスプリッタＤＢＳ２は、第２のレーザ光のうち有効範囲内の光（３本の光束）を全反射し、その進路方向を主光軸ＯＡ３に沿ったものに変え、第１のダイクロイックビームスプリッタＤＢＳ１に入射させる。また、第２のレーザ光のうち有効範囲外の光を透過させ、その一部をライトガイドＬＧに入射させる。さらに、この第２のダイクロイックビームスプリッタＤＢＳ２は、第１のダイクロイックビームスプリッタＤＢＳ１側から主光軸ＯＡ３に沿って入射する戻り光を透過させ、センサレンズＳＬに入射させる。
【００４７】
１／４波長板ＱＷＰは、入射するレーザ光の偏光状態を変化させる（直線偏光の偏光方向を回転させる）。この１／４波長板ＱＷＰの働きにより、例えば、第１のダイクロイックビームスプリッタＤＢＳ１からこの１／４波長板ＱＷＰに入射するレーザ光がＰ偏光である場合に、光ディスクＤＩＳＣで反射された戻り光がＳ偏光となってダイクロイックビームスプリッタＤＢＳ１に入射し、そこ透過することができる。
【００４８】
立上げミラーＭＩＲは、１／４波長板ＱＷＰ側から入射するレーザ光をコリメータレンズＣＬ側へ反射し、コリメータレンズＣＬ側から入射する戻り光を１／４波長板ＱＷＰ側へ反射する全反射ミラーである。
【００４９】
コリメータレンズＣＬは、立上げミラーＭＩＲで反射されたレーザ光を平行光に変換する。また、光ディスクＤＩＳＣで反射された戻り光を収束光に変換する。
【００５０】
アパーチャＡＰは、コリメータレンズＣＬからの平行光の一部を阻止し、残りを通過させることにより、対物レンズに入射するレーザ光の光量を調節する。
【００５１】
対物レンズＯＬは、アパーチャＡＰを通過したコリメータレンズＣＬからの平行光を光ディスクＤＩＳＣ上に集光照射する。
【００５２】
センサレンズＳＬは、光ディスクＤＩＳＣで反射され、対物レンズＯＬ、アパーチャＡＰ、コリメータレンズＣＬ、立上げミラーＭＩＲ、１／４波長板ＱＷＰ、及び第１及び第２のダイクロイックビームスプリッタＤＢＳ１，ＤＢＳ２を介して入射する戻り光を拡大又は収束させて、受光素子ＰＤに入射させる。
【００５３】
受光素子ＰＤは、センサレンズＳＬで拡大又は収束された戻り光を受光する。
【００５４】
ライトガイドＬＧは、第１のグレーティングＧＲＴ１を透過した第１のレーザ光のうちの有効範囲外の光の一部を受け、その光を内部で反射させて所定方向、即ちフロントモニタＦＭが配置されている方向へ出射させる。なお、ライトガイドＬＧの反射面は、光の入射角がブリュースター角よりも大きくなるよう設計されている。
【００５５】
ライトガイドＬＧは、また、第２のダイクロイックビームスプリッタＤＢＳ２を透過した第２のレーザ光のうちの有効範囲外の光の一部を受け、その光を屈折させて所定方向、即ちフロントモニタＦＭが配置されている方向へ出射させる。
【００５６】
ライトガイドＬＧは、例えば、透明ガラス又は透明樹脂製のブロック体（かたまり状であって、ファイバー状等ではない。）であって、研磨あるいは金型を用いた成形により製造される。また、その表面を部分的に（入射面、出射面、あるいは反射面を）球面状（凸レンズ状）にすることにより、入射する拡散光を収束光に変えて出射させることができる。
【００５７】
フロントモニタＦＭは、ライトガイドＬＧから出射される第１のレーザ光のうちの有効範囲外の光と、第２のレーザ光のうちの有効範囲外の光とをともに受光する。フロントモニタＦＭの検出出力は、図示しないＡＰＣ回路に供給され、第１及び第２のレーザダイオードＬＤ１，ＬＤ２の出力制御に利用される。
【００５８】
次に、図３の光ピックアップの動作について説明する。
【００５９】
光ディスクＤＩＳＣがＤＶＤの場合、第１のレーザダイオードＬＤ１が、第１のレーザ光を出射する。
【００６０】
第１のレーザダイオードＬＤ１から出射された第１のレーザ光は、第１のグレーティングＧＲＴ１に入射し、その中央部は回折格子４１で３本の光束に分割され、周辺部はそのまま透過される。
【００６１】
回折格子４１で分割された３本の光束は、第１のダイクロイックビームスプリッタＤＢＳ１で全反射され、１／４波長板ＱＷＰ、立上げミラーＭＩＲ、コリメータレンズＣＬ、アパーチャＡＰ、及び対物レンズＯＬを介して光ディスクＤＩＳＣに照射される。
【００６２】
即ち、光ディスクＤＩＳＣで反射された戻り光は、対物レンズＯＬ、コリメータレンズＣＬ、立上げミラーＭＩＲ、１／４波長板ＱＷＰ、第１及び第２のダイクロイックビームスプリッタＤＢＳ１，ＤＢＳ２、及びセンサレンズＳＬを介して受光素子ＰＤによって受光される。
【００６３】
以上の動作の間、フロントモニタＦＭは、ライトガイドを介して受光する第１のレーザ光の有効範囲外の光の光量に応じた検出信号を図示しないＡＰＣ回路に出力し続ける。ＡＰＣ回路は、フロントモニタＦＭからの検出信号に応じて、第１のレーザダイオードＬＤ１の駆動電圧を制御し、記録モード又再生モードに適した出力パワーとなるようにする。
【００６４】
光ディスクＤＩＳＣがＣＤである場合、第２のレーザダイオードＬＤ２が第２のレーザ光を出射する。
【００６５】
第２のレーザダイオードＬＤ２から出射された第２のレーザ光は、光学レンズＬにて広がり角の調整を受けた後、第２のグレーティングＧＲＴ２に入射する。第２のグレーティングは、第１のグレーティングと同様に、入射するレーザ光の中央部を回折格子４１により３本の光束に分割し、周辺部をそのまま透過させる。
【００６６】
回折格子４１で分割された３本の光束は、第２のダイクロイックビームスプリッタＤＢＳ２で全反射され、第１のダイクロイックビームスプリッタＤＢＳ１、１／４波長板ＱＷＰ、立上げミラーＭＩＲ、コリメータレンズＣＬ、アパーチャＡＰ、及び対物レンズＯＬを介して光ディスクＤＩＳＣに照射される。
【００６７】
光ディスクＤＩＳＣで反射された戻り光は、対物レンズＯＬ、コリメータレンズＣＬ、立上げミラーＭＩＲ、１／４波長板ＱＷＰ、第１及び第２のダイクロイックビームスプリッタＤＢＳ１，ＤＢＳ２、及びセンサレンズＳＬを介して受光素子ＰＤによって受光される。尚、ディスクＤＩＳＣからの反射光が、再びフロントモニタＦＭに入射しないようにライトガイドＬＧの前に遮蔽板ＳＣ（図４（ａ）参照。）を設けるのが望ましい。
【００６８】
以上の動作の間、フロントモニタＦＭは、第２のダイクロイックビームスプリッタを透過し、ライトガイドＬＧを介して入射する第２のレーザダイオードの有効範囲外の光の光量に応じた検出信号をＡＰＣ回路に出力し続ける。ＡＰＣ回路は、フロントモニタＦＭからの検出信号に応じて、第２のレーザダイオードＬＤ２の駆動電圧を制御し、記録モード又再生モードに適した出力パワーとなるようにする。
【００６９】
以上のように、本実施の形態による光ピックアップでは、第１及び第２のグレーティングＧＲＴ１，ＧＲＴ２の近傍にライトガイドを配置することにより、各レーザダイオードＬＤ１，ＬＤ２から出射されるレーザ光のうち、記録・再生に関与しない有効範囲外の光の一部を単一のフロントモニタＦＤで検出することができる。
【００７０】
なお、本実施の形態では、第２のダイクロイックビームスプリッタＤＢＳ２を透過した光をフロントモニタに入射させるようにしているため、周囲環境の変化による検出精度への影響を完全に除去することはできない。しかしながら、第２ダイクロイックビームスプリッタＤＢＳ２は、第２のレーザ光のうち有効範囲外の光を全透過させるものであるため、図１や２に示すように一部透過又は一部反射させるよう構成されている場合に比べ、周囲環境の変化による検出精度への影響は相対的に小さい。
【００７１】
【発明の効果】
本発明によれば、第１及び第２のレーザダイオードからの第１及び第２のレーザ光の有効範囲外の光の一部をともに所定方向へ導くライトガイドを設けたことで、部品点数を増加させることなく、また、各レーザダイオードからのレーザ光のうち有効範囲内の光の利用効率を低下させることなく、単一のフロントモニタを用いて、各レーザダイオードの出力制御を行うことができる。
【００７２】
また、本発明によれば、各レーザダイオードから出射したレーザ光を、ダイクロイックビームスプリッタで一部反射又は一部透過させることなく、フロントモニタに入射させるようにしたことで、周囲環境の変化による影響を受け難く、精度よくレーザ光の光量を検出することができる。
【図面の簡単な説明】
【図１】従来の単一のフロントモニタを備えた二波長対応光ピックアップの光学系を示す図である。
【図２】従来の他の単一のフロントモニタを備えた二波長対応光ピックアップの光学系を示す図である。
【図３】本発明の一実施形態に係る二波長対応光ピックアップの光学系の構成を示す図である。
【図４】図３の光ピックアップにおけるライトガイドの配置を説明するための図であって、（ａ）はライトガイドと第１のレーザ光との関係を示す図、（ｂ）はライトガイドと第２のレーザ光との関係を示す図である。
【図５】図３の光ピックアップに用いられる第２のグレーティングの構成例を示す図であって、（ａ）は周縁部に高分子誘電膜を有するものの正面図及び側面図、（ｂ）は中央部に高分子誘電膜を有するものの正面図及び側面図である。
【符号の説明】
ＬＤ１      第１のレーザダイオード
ＬＤ２      第２のレーザダイオード
Ｌ          光学レンズ
ＧＲＴ１    第１のグレーティング
ＧＲＴ２    第２のグレーティング
ＤＢＳ１    第１のダイクロイックビームスプリッタ
ＤＢＳ２    第２のダイクロイックビームスプリッタ
ＱＷＰ      １／４波長板
ＭＩＲ      立上げミラー
ＣＬ        コリメータレンズ
ＡＰ        アパーチャ
ＯＬ        対物レンズ
ＤＩＳＣ    光ディスク
ＳＬ        センサレンズ
ＰＤ        受光素子
ＦＭ        フロントモニタ
ＳＣ        遮蔽板
【図１】
2004227683.tif 000003
【図２】
2004227683.tif 000004
【図３】
2004227683.tif 000005
【図４】
2004227683.tif 000006
【図５】
2004227683.tif 000007